(57)【要約】      （修正有）【課題】身障者・難病患者・高齢者のための、ベッド一体化トイレを提供する。【解決手段】洋式水洗トイレをベッド下部に設置し、モータＡ１とモータＢ２、背もたれ板上昇装置３と、便座着座装置４と、足部開放装置５と、臀部支持ベルト６と、引き込みシャッター７と、着脱式マット８を持つ。モータＡは電動で背もたれ板を起こし足部開放装置を動作させて足部を開放する。モータＢは便座着座装置をベッド面から便座面までの上下を行う。便座着座装置は便座の形状に合わせるフレーム構成とする。利用者は、マットを取り外し、臀部支持ベルトを張ってある便座着座装置へお尻を置く。引き込みシャッター７を足もとへ引き込むと共に、背もたれ板をモータＡで起こしながら、モータＢにより、足部開放装置を動作させ、足を足差し込みスペースへ置く。便座へ着座後は、臀部支持ベルトを後方へずらし、トイレの利用が可能になる。ベッドへの復帰は、逆の手順で行う。【選択図】図１
2015202389.tif 000002
【特許請求の範囲】
【請求項１】
洋式水洗トイレ（フラッシュバルブ式トイレに乾燥機能付き洗浄便座装着）をベッド下部に設置し、モータＡとモータＢ、背もたれ板上昇装置と、便座着座装置と、足部開放装置と、臀部支持ベルトと、引き込みシャッターを持つことを特徴とする、水洗トイレ付き自力型介護ベッド。
【請求項２】
前記モータＡは電動で背もたれ板を起こし足部開放装置を動作させて足部を開放する。
モータＢは便座着座装置をベッド面から便座面までの上下を行う。便座着座装置は便座の形状に合わせるフレーム構成とし、更に丸鋼にすることで臀部支持ベルトの着脱を容易にする。
引き込みシャッターは、厚みの異なる２種類構成で便座着座装置と整合させると共に、便座開口・遮蔽・臀部支持補強機能も有する。
臀部支持ベルトは、３軸織物（さんじくおりもの）又は軽量帆布により高張力を持たせることを特徴とする請求項１記載の水洗トイレ付き自力型介護ベッド。
【請求項３】
前記便座着座装置の丸鋼フレームにパイプを通して、臀部支持ベルトは該パイプに掛け、該パイプと丸鋼フレームとの間にベアリングを設置し、臀部支持ベルトをずらしやすくすることを特徴とする請求項２及び請求項１の水洗トイレ付き自力型介護ベッド。
【発明の詳細な説明】
【技術分野】
【０００１】  この発明は、介護ベッドにトイレ機能を設置する際の構成、形状及び動作に関する。
【背景技術】
【０００２】  従来の介護ベッドに於ける一人でトイレに行けない方の排泄は、脇に置いたポータブルトイレを利用するか、または、車椅子に乗ってトイレまで移動しており、利便性が悪かった。
また、車椅子の移乗をなくした介護ベッドシステムとしては、特許文献１に示すように、ベッド状態と被介護者が座位できる車椅子状態に変換可能に構成した車輪付介護ベッドがあるが、四角状の枠体を用いて、直線的な下降／上昇を行っているので、利用者の心地良さやスムーズさなどの面からは課題があった。
特許文献２に示すような、入浴、排便させる介護を一人で行えるように組み合わせた床ずれ防止機能を備えた介護ベッドが提案されているが、これは、寝たまま使用出来ると言うものであり、利用者心理的圧迫感や心地良さなどの面からは課題があった。
特許文献３に示すような、介護ベッド用トイレ装置が提案されているが、排泄物の確実な排出や利用者の腰部・臀部洗浄を容易にするものであり、利用者心理的圧迫感や心地良さなどを解決するものではなかった。
【先行技術文献】
【特許文献】
【０００３】
【特許文献１】特許公開２０１０−２６８８７２
【特許文献２】特許公開２００９−２７９３６１
【特許文献３】特許公開２００７−７５３０９
【発明の概要】
【発明が解決しようとする課題】
【０００５】  以上の技術では、障がい者・難病患者・高齢者の方などが求める、ベッドに居ながら、通常の水洗トイレを自力で使える介護ベッドは実現できない。
そこで、この発明は、ベッドに寝た状態からベッド下部に設置した汎用の水洗トイレへの自然な着座を行い、健常者と何ら変わらない排泄を実現することで、排泄時における利用者の心理的圧迫感をなくし、心地良さを実現する介護ベッドを提供することを課題とする。
【課題を解決するための手段】
【０００６】  以上の課題を解決するために、第一発明は、洋式水洗トイレ（フラッシュバルブ式トイレに乾燥機能付き洗浄便座装着）をベッド下部に設置し、モータＡとモータＢ、背もたれ板上昇装置と、便座着座装置と、足部開放装置と、臀部支持ベルトと、引き込みシャッターを持つことを特徴とする、水洗トイレ付き自力型介護ベッド。
また、第二発明は、前記モータＡは電動で背もたれ板を起こし足部開放装置を動作させて足部を開放する。モータＢは便座着座装置をベッド面から便座面までの上下を行う。便座着座装置は便座の形状に合わせるフレーム構成とし、更に丸鋼にすることで臀部支持ベルトの着脱を容易にする。
引き込みシャッターは、厚みの異なる２種類構成で便座着座装置と整合させる。
臀部支持ベルトは、三軸織物（さんじくおりもの）又は軽量帆布により高張力を持たせることを特徴とする請求項１記載の水洗トイレ付き自力型介護ベッド。
さらに、第三発明は、前記便座着座装置の丸鋼フレームにパイプを通して、臀部支持ベルトは該パイプに掛け、該パイプと丸鋼フレームとの間にベアリングを設置し、臀部支持ベルトをずらしやすくすることを特徴とする請求項２及び請求項１の水洗トイレ付き自力型介護ベッド。
【発明の効果】
【０００７】  第一発明、第二発明、または第三発明により、自力で、ベッドから水洗トイレへ移動、自力排便・排尿、その後ベッドへ戻ることを手助けする機能を持った水洗トイレ付き介護ベッドを提供でき、
○  トイレでの移動行動の究極の利便化が図れる
○  夜のトイレの不自由さを解消
○  介護人の不要化、または、最小限化が図れる
○  ベッドでの排泄時に、利用者の心理的圧迫感を軽減し、心地良さを実現する
○  モータにより自力対応が可能で、介護人が不要となり、羞恥心から解放される等の、効果がある。
【図面の簡単な説明】
【０００８】
【図１】この発明の一実施形態を示す断面図（寝ている状態）である。
【図２】この発明の一実施形態を示す上面図１（寝ている状態）である。マット８と便座着座装置の位置関係を示す。
【図３】この発明の一実施形態を示す上面図２（寝ている状態）である。臀部支持ベルト６及引き込みびシャッター７と便座着座装置４との位置関係を示す。
【図４】この発明の一実施形態を示す断面図（マットを外した状態）である。
【図５】この発明の一実施形態を示す上面図（マットを外した状態）である。
【図６】この発明の一実施形態を示す断面図（便座着座装置にお尻が乗っている状態）である。お尻は便座着座装置の臀部支持ベルト６に乗っており、引き込みシャッター７が引き込まれ、トイレの開口が行われ、足差し込みスペースも開口している。
【図７】この発明の一実施形態を示す上面図（便座着座装置にお尻が乗っている状態）である。臀部は、便座着座装置４に張られた臀部支持ベルトに乗っている。
【図８】この発明の一実施形態を示す断面図（便座に着座している状態）である。背もたれ上昇装置３足部開放装置５が同時に動いて身体を起こし、足を床面につけるようにする。
【図９】この発明の一実施形態を示す上面図（便座に着座している状態）である。臀部支持ベルト６は張られ、引き込みシャッター７は、引き込まれている。
【図１０】この発明の一実施形態を示す断面図（便座に着座している状態）である。背もたれから身体を起こして、トイレ利用可能となる。
【図１１】この発明の一実施形態を示す上面図（便座に着座している状態）である。臀部支持ベルト６を後ろにずらして、トイレ利用可能となる。
【図１２】この発明の一実施形態の詳細を示す上面図と正面図である（臀部支持ベルト６と便座着座装置４の丸鋼との位置関係、及び臀部支持ベルト６が張った状態とずらした状態を示す。）
【図１３】この発明の一実施形態の詳細を示す上面図、側面図と斜視図である。（上面図は、引き込みシャッター７、臀部支持ベルト６及び便座着座装置４の丸鋼フレームの位置関係を示す。側面図は、引き込みシャッター７を二つの厚みを持つ板の組み合わせとし、厚みの差と便座着座装置４の丸鋼フレームとの整合を取ることで、スムーズなお尻の移動を可能とすることを示す。斜視図は、便座着脱装置４の丸鋼に、パイプを通してその上に臀部支持ベルト６をかけて、ベルトをずらしやすくしていることを示す。）
【図１４】この発明の構成イメージ図である（階層構造で明示）
【発明を実施するための形態】
【０００９】この発明の一実施形態を図１から図１１に示す。また、詳細の形態を図１２と図１３に示す。図１４は全体構成のイメージ図である。
図１は、就寝時の状態である。背もたれ上昇装置３、足部開放装置５は水平になっておりベッド板として機能している。マット８は敷かれた状態である。便座着座装置４はベッドと接しておりマット８の真下の位置にある。引き込みシャッター７はトイレに蓋をしている状態である。
モータＡ１は背もたれ上昇装置３と足部開放装置５を動作させるのに使われる。モータＢ２は便座着座装置を動作させるのに使われる。
背もたれ上昇装置３は、利用者の状態を起こすためのもので、利用者が便座へ着座しやすい角度まで上昇する。
便座着座装置４は、マット８を取り外して臀部を乗せた後、便座位置まで電動でさがる。また、終了後は元の位置まで戻る。
丸鋼フレーム製で、水洗トイレの形に合わせた形状にする。臀部支持ベルト６をパイプに掛け、そのパイプを丸鋼にベアリングを間において通している。ベアリングによりパイプを可動しやすくし、容易に臀部支持ベルトの着脱及びずらしが出来る構成となっている。
足部開放装置５は、便座へ着座するときに、連動して電動で開き、足差し込みスペースへ足を置けるようにし、健常者の水洗トイレ利用と全く同じ姿勢を可能とする。
臀部支持ベルト６は、三軸織物（さんじくおりもの）や軽量帆布などの高張力を持つ布製で、パイプと丸鋼の便座着座装置４の組み合わせで、着脱、及びトイレ利用時に後ろへずらすことを容易にする。マット８を外した後の臀部をやさしく包み、便座へのソフトランディングを可能とする。
引き込み式シャッター７は、便座着座装置４へ臀部を乗せる際の支持補強と共に、便座の開口／遮蔽も行う。厚さの異なる２種類の板を用いることで、便座着座装置４との整合性を得る。動作は、ワイヤを用いた手動である。
マット８は、ベッドの一部として機能し、トイレの利用時の取り付け／取り外し、は、手動である。
ベッド９は、鋼製フレームメッシュ床タイプで、マット８部分はメッシュ床がない構造である。
水洗トイレは、一般の汎用洋式水洗トイレ（フラッシュバルブ式トイレに乾燥機能付き洗浄便座装着）で、便座面をベッド面の下方１０ｃｍ程度に設置する。
足差し込みスペースは、利用者が、健常者の水洗トイレ利用と全く同じ姿勢を可能とするために足を置くスペースである。
図２は、マット８と便座着脱装置４との位置関係を示す上面図である。
図３は、臀部支持ベルト６及び引き込みシャッター７と便座着座装置４との位置関係を示す上面図である。臀部支持ベルト６は便座着座装置４の丸鋼に通されたパイプに掛けるように設置される。
図４は、マット８を外し、臀部を便座着座装置４へ置いた状態である。便座着座装置４に装着された臀部支持ベルト６に臀部をやさしく包み込んでいる。引き込みシャッター７は、臀部移動時の補強支持として機能している。
図５は、図４の状態時の上面から見たもの。
図６は、引き込みシャッター７が足元へ引き込まれ、便座着座装置４が便座面へ下がっていく状態である。臀部支持ベルト６の張力を確認しながら、引き込みシャッター７を足元へ引き込む。
図７は、図６の状態時の上面からみたもの。
図８は、モータＢ２により、臀部が便座へ着座した状態である。モータＡ１により背もたれ板上昇装置３が動作し上体は起こされる。また、モータＢ２により足部開放装置が動作し、足を下ろせるようになる。
図９は、図８の状態図を上面から見たもの。この時点では、臀部支持ベルトは便座着座装置４に装着されたままである。
図１０は、利用者が上体を充分起こし、且つ足を足差し込みスペースへ置いている状態である。この時、臀部支持ベルト６を後ろの方へずらすことで、水洗トイレが利用可能となる。ベッドへの復帰は、逆の手順で行う。
図１１は、図１０の状態時の上面から見たもの。
図１２は、臀部支持ベルト６と便座着座装置４の構成の詳細図である。臀部支持ベルトは丸鋼フレーム構成の便座着座装置４に通されたパイプに巻かれるようにしており、臀部をやさしく包み込む。パイプと丸鋼フレームの間にはベアリング等で、可動となっており、利用時に後ろへずらしたり、元に戻すことが容易である。
図１３は、臀部支持ベルト６，便座着座装置４及び引き込みシャッター７の構成の詳細図である。上面図では、引き込みシャッター７、臀部支持ベルト６及び便座着座装置４の丸鋼フレームの位置関係を示す。側面図では、引き込みシャッター７を二つの厚みを持つ板の組み合わせとし、厚みの差と便座着座装置４の丸鋼フレームとの整合を取ることで、スムーズなお尻の移動を可能とすることを示す。斜視図では、便座着脱装置４の丸鋼に、パイプを通してその上に臀部支持ベルト６をかけて、ベルトをずらしやすくしていることを示す。
【実施形態の効果】
【００１０】  この実施形態によれば、機能と利用者の気持ち（心地良さ）を重視した排泄システムを提供できる。このシステムでは、かなりの程度自力で出来るが、トイレまで一人で行けない身障者・難病患者・高齢者が、羞恥心と無縁に、通常のトイレと同じ感覚で排便・排尿が出来るようになり、排泄が楽なものとなる。
【他の実施形態】
図１〜７の実施形態では、モータＡ１とモータＢ２の２個で構成しているが、一つでも３つでも構わない。引き込みシャッター７とマット８は、手動で行っているが、電動等、他の方法でも構わない。
臀部支持ベルト６は、ベルトで、三軸織物または軽量帆布製としているが、張力があり、利用者の臀部をやさしく支持でき、着脱が容易であれば、他のものでも構わない。
便座着座装置４は、臀部を自然に昇降出来れば、例示の形状でなくても良い。
【符号の説明】
【００１１】１    モータＡ
２    モータＢ
３    背もたれ上昇装置
４    便座着座装置
５    足部開放装置
６    臀部支持ベルト
７    引き込みシャッター下肢部ベッド板
８    マット
９    ベッド
【図１】
2015202389.tif 000003
【図２】
2015202389.tif 000004
【図３】
2015202389.tif 000005
【図４】
2015202389.tif 000006
【図５】
2015202389.tif 000007
【図６】
2015202389.tif 000008
【図７】
2015202389.tif 000009
【図８】
2015202389.tif 000010
【図９】
2015202389.tif 000011
【図１０】
2015202389.tif 000012
【図１１】
2015202389.tif 000013
【図１２】
2015202389.tif 000014
【図１３】
2015202389.tif 000015
【図１４】
2015202389.tif 000016